(57)【特許請求の範囲】
【請求項１】
トンネルの本体として沈設されたトンネル終端の沈埋函と地上に通じるアプローチの接続部となる立坑との間に、内布枠と外布枠から二重に形成された布型枠を、前記内布枠と外布枠の両端を前記沈埋函と立坑の端部にそれぞれ接合して設置し、前記内布枠と外布枠との間にセメントミルクまたはコンクリートを充填し、かつ前記内布枠と外布枠の両端を沈埋函と立坑の端部にジッパーを介してそれぞれ接合してあることを特徴とする沈埋函の接合部。
【請求項２】
内布枠と外布枠を複数の間隔保持紐で所定間隔に連結してあることを特徴とする請求項１記載の沈埋函の接合部。
【請求項３】
請求項１または２記載の沈埋函の接合部の施工方法において、沈埋函と立坑との間に布型枠を沈設するとともに、当該布型枠の内布枠と外布枠の両端をそれぞれ沈埋函と立坑の端部にジッパーを介して接合し、次に前記布型枠をその内側に水圧をかけて膨張させ、次に内布枠と外布枠との間にセメントミルクまたはコンクリートを充填することを特徴とする沈埋函の接合部の施工方法。
【発明の詳細な説明】
【０００１】
【発明の属する技術分野】
この発明は、いわゆる沈埋工法において特にトンネルの本体として沈設されたトンネル終端の沈埋函と地上に通じるアプローチの接続部として構築された立坑との接合部およびその施工方法に関する。
【０００２】
【従来の技術】
海底トンネル等、水面下に連続してトンネルを構築する方法として沈埋工法が知られている。沈埋工法は陸上の製作ヤードでプレキャスト方式で予め製作されたトンネル函体エレメント（沈埋函）を、基礎工事の終了した計画地点まで曳航し、沈設・接合を繰り返しおこなって水面下に連続するトンネルを構築しようとするものである。
【０００３】
その際、トンネルの本体として隣接して沈設された沈埋函どうしの接合、およびトンネル終端の沈埋函と地上に通じるアプローチの接続部として構築された立坑との接合は、水面下において潜水夫の手で行われる。
そのうち特に、トンネル終端の沈埋函と立坑を接合する方法として、接合部にコンクリートを打設した後、沈埋函の内側から接合部のコンクリートをはつって接合部を貫通する方法、接合部の周囲を止水パネルで覆った後、接合部内を排水する方法などが知られている。
【０００４】
しかし、このような接合方法では、段取りが大掛かり化するだけでなく、トンネル終端の沈埋函の据付けに大きな誤差が生じたときに、これに沈埋函と立坑を接合する接合部材を合わせることがきわめて困難になる等の課題があった。
この発明は以上の課題を解決するためになされたもので、特にトンネル終端の沈埋函と立坑を、沈埋函の据付け時の誤差を簡単に吸収して確実に接合できるよにした沈埋函の接合部およびその施工方法を提供することを目的とする。
【０００５】
【課題を解決するための手段】
請求項１記載の沈埋函の接合部は、トンネルの本体として沈設されたトンネル終端の沈埋函と地上に通じるアプローチの接続部となる立坑との間に、内布枠と外布枠から二重に形成された布型枠を前記内布枠と外布枠の両端を前記沈埋函と立坑の端部にそれぞれ接合して設置し、前記内布枠と外布枠との間にセメントミルクまたはコンクリートを充填し、前記内布枠と外布枠の両端をそれぞれ沈埋函と立坑の端部にジッパーを介して接合してあることを特徴とするものである。
【０００６】
請求項２記載の沈埋函の接合部は、請求項１記載の沈埋函の接合部において、 内布枠と外布枠を複数の間隔保持紐で所定間隔に連結してあることを特徴とするものである。
請求項３記載の沈埋函の接合部の施工方法は、請求項１または２記載の沈埋函の接合部の施工方法において、沈埋函と立坑との間に布型枠を沈設するとともに、当該布型枠の内布枠と外布枠の両端をそれぞれ沈埋函と立坑の端部にジッパーを介してそれぞれ接合し、次に前記布型枠をその内側に水圧をかけて膨張させ、次に内布枠と外布枠との間にセメントミルクまたはコンクリートを充填することを特徴とするものである。
【０００７】
【発明の実施の形態】
図１〜図６は、この発明の実施の一形態を示し、図において複数の沈埋函１がトンネルの本体として互いに接合しながら海底に沈設され、かつこうして構築されたトンネル終端の沈埋函１に隣接して地上に通じるアプローチの接続部となる立坑２が構築されている。沈埋函１と立坑２は接合函３を介して接合されている。
【０００８】
沈埋函１は、地上の製作ヤードでＲＣ構造、ＰＣ構造、ＳＲＣ構造、または鋼板型枠の中にコンクリートを打設する鋼・コンクリート合成構造などによって予め構築された後、基礎工事の終了した計画地点まで曳航され、沈設され、かつ互いに接合されている。
立坑２と接合函３は現地で構築され、特に接合函３は可とう性を有する内布枠４ａと外布枠４ｂとから二重に形成された布型枠４の内布枠４ａと外布枠４ｂ間にセメントミルクまたはコンクリート５を充填して構築されている。
【０００９】
内布枠４ａと外布枠４ｂはともに高強度繊維からなる布から形成され、また内布枠４ａの両端と外布枠４ｂの両端は沈埋函１の開口部１ａと立坑２の開口部２ａの周囲にジッパー６によってそれぞれ接合されている。
さらに、内布枠４ａと外布枠４ｂも高強度繊維からなる複数の間隔保持紐４ｃによって所定間隔に連結されている。
【００１０】
なお、立坑２はＲＣ構造、ＳＲＣ構造、または鋼・コンクリート合成構造などで構築されている。
図５はジッパー６の一例を示し、ジッパー６は沈埋函１の開口部１ａと立坑２の開口部２ａの周囲にそれぞれ連続して突設されたジッパー雌６ａと、内布枠４ａと外布枠４ｂの両端部にそれぞれ連続して突設され、ジッパー雌６ａに係合されるジッパー雌６ｂとから形成されている。
【００１１】
また、ジッパー雌６ａとジッパー雄６ｂは、開口部１ａと２ａの周囲に沿ってスライドするスライド金具７によって係合され、こうして内布枠４ａの両端と外布枠４ｂの両端が沈埋函１の開口部１ａと立坑２の開口部２ａの周囲に接合されている。
なお、スライド金具７は、沈埋函１の開口部１ａまたは立坑２の開口部２ａの周囲に連続して突設されたガイドレール８に取り付けられた走行治具９に取り付けられている。
【００１２】
そして、走行治具９を動力または手でガイドレール８の上を走行させて、スライド金具７を開口部１ａと２ａの周囲をスライドさせることでジッパー６のジッパー雌６ａとジッパー雄６ｂを係合できる。
このような構成において、沈埋函１と立坑２を接合する方法を順を追って説明する（図６（ａ）〜（ｇ）参照）。
▲１▼  最初に、計画地点に沈設されたトンネル終端の沈埋函１と現地で構築された
【００１３】
立坑２との間に布型枠４を沈設する（（ａ））。
なお、沈埋函１の開口部１ａと立坑２の開口部２ａはともに、図４に図示するように仮蓋１０と１１によって予めそれぞれ閉じておくものとする。
▲２▼  次に、内布枠４ａの両端と外布枠４ｂの両端を沈埋函１の開口部１ａと立坑２の開口部２ａの周囲にジッパー６を介してそれぞれ接合する（（ｂ），（ｃ））。
▲３▼  次に、沈埋函１の端部に予め設けておいた注水バルブ１２から布型枠４内に
【００１４】
給水し、水圧をかけて布型枠４を充分に膨張させる（（ｄ））。
▲４▼  次に、布型枠４の一端に設けられた充填バルブ１３から内布枠４ａと外布枠４ｂ間にセメントミルクまたはコンクリートを充填しつつ、布型枠４の他端に設けられた排水バルブ１４から内布枠４ａと外布枠４ｂ間の水を排水する（（ｅ））。こうして、内型枠４ａと外型枠４ｂ間に必要量のセメントミルクまたはコンクリート５を充填し、充分に養生にする。
【００１５】
なおその際、排水バルブ１４からセメントミルクまたはコンクリート５が流出し始めることで、内型枠４ａと外型枠４ｂ間に必要量のセメントミルクまたはコンクリート５が充填されたことを確認できるので、セメントミルクまたはコンクリート５の充填を確実に無駄なく行うことができる。
また、内布枠４ａと外布枠４ｂが複数の間隔保持紐４ｃで所定間隔に連結されていることで、セメントミルクまたはコンクリート５を均等な厚さに充填することできる。
▲５▼  次に、セメントミルクまたはコンクリート５が充分な強度に達したら、仮蓋
【００１６】
１０または１１に設けられた排水バルブ１４から布型枠４内を排水する（（ｆ））。こうして、接合函３が構築される。そして、接合函３の内周を鉄筋コンクリートの覆工体１５で覆工する（（ｇ））。
▲６▼  次に、仮蓋１０と１１を撤去して複数の沈埋函からなるトンネル本体側と立坑２側を連通する。
【００１７】
なお、本願発明では特に、トンネル終端の沈埋函と立坑との接合について説明したが、沈埋函どうしも同様に接合できることはいうまでもない。
【００１８】
【発明の効果】
この発明は以上説明した構成からなり、特にトンネル終端の沈埋函と地上に通じるアプローチの接続部となる立坑を、この間に内布枠と外布枠から二重に形成された布型枠を設置するとともに、内布枠と外布枠の両端を沈埋函と立坑の端部にそれぞれ接合し、かつ内布枠と外布枠間にセメントミルクまたはコンクリートを充填して接合する際、布型枠が自由に変形できることから沈埋函の据え付け時の大きな誤差を簡単に吸収して確実に接合できる効果がある。
【図面の簡単な説明】
【図１】沈埋工法で構築された海底トンネルの側面図である。
【図２】トンネル終端の沈埋函と地上に通じる立坑との接合部を示す一部破断側面図である。
【図３】トンネル終端の沈埋函と地上に通じる立坑との接合部を示す一部破断側面図である。
【図４】トンネル終端の沈埋函と地上に通じる立坑との接合部を示す断面図である。
【図５】ジッパーの一例を示す断面図である。
【図６】（ａ）〜（ｇ）は施工方法を示す工程図である。
【符号の説明】
１  沈埋函
１ａ  開口部
２  立坑
２ａ  開口部
３  接合函
４  布型枠
４ａ  内布枠
４ｂ  外布枠
４ｃ  間隔保持紐
５  セメントミルクまたはコンクリート
６  ジッパー
６ａ  ジッパー雌
６ｂ  ジッパー雄
７  スライド金具
８  ガイドレール
９  走行治具
１０  仮蓋
１１  仮蓋
１２  注水バルブ
１３  充填バルブ
１４  排水バルブ
１５  覆工体
【図１】
0003991464.tif 000002
【図２】
0003991464.tif 000003
【図３】
0003991464.tif 000004
【図４】
0003991464.tif 000005
【図５】
0003991464.tif 000006
【図６】
0003991464.tif 000007